(57)【要約】【課題】紙箱を折り畳んだ状態で、簡単に軽くロックできる折畳ロックを提供する。【解決手段】紙箱の折り畳みに伴い、折重部分Ａ，Ｂ同士を重ね合わせ、稜線２を跨ぐ切込により形成したロック片１を折り曲げて、折畳状態で保持するロックにおいて、前記ロック片１は、稜線２を対称軸とする基折線３及び破断線４ａ，４ｂで囲まれたものとし、稜線２を境界に破断線４ａ，４ｂをずらすことにより、稜線２の一側に破断線４ａの内縁に臨む係合凸部５を、他側に破断線４ｂの外縁に臨む受止部６をそれぞれ形成し、紙箱の折り畳みに際し、各折重部分Ａ，Ｂのロック片１を基折線３に沿って同方向へ折り曲げると、一方の折重部分から折り曲げられたロック片１の係合凸部５が他方の折重部分の受止部６に係合してロックされるようにする。【選択図】図３
2008201451.tif 000002
【特許請求の範囲】
【請求項１】
紙箱の折り畳みに伴い、折重部分同士を重ね合わせ、稜線(2)を跨ぐ切込により形成したロック片(1)を折り曲げて、折畳状態で保持するロックにおいて、
前記ロック片(1)は、稜線(2)を対称軸とする基折線(3)及び破断線(4a,4b)で囲まれたものとし、稜線(2)を境界に破断線(4a,4b)をずらすことにより、稜線(2)の一側に破断線(4a)の内縁に臨む係合凸部(5)を、他側に破断線(4b)の外縁に臨む受止部(6)をそれぞれ形成し、紙箱の折り畳みに際し、各折重部分のロック片(1)を基折線(3)に沿って同方向へ折り曲げると、一方の折重部分から折り曲げられたロック片(1)の係合凸部(5)が他方の折重部分の受止部(6)に係合してロックされることを特徴とする紙箱の折畳ロック。
【発明の詳細な説明】
【技術分野】
【０００１】
この発明は、紙箱を廃棄する際、コンパクトに折り畳んだ状態に保持できるロックに関するものである。
【背景技術】
【０００２】
従来、この種の折畳ロック付き紙箱として、下記特許文献１には、廃棄する際、扁平に折り畳み、折重部分同士を重ね合わせ、一方の折重部分の稜部を切り込んで形成した先広がりのロック片を、他方の折重部分の稜部を切り込んで形成した狭幅のロック片の方向へ折り曲げて、その抜出穴の両側部分に係合させるものが記載されている。
【０００３】
【特許文献１】特開２００２−１２８０６１号公報
【発明の開示】
【発明が解決しようとする課題】
【０００４】
しかしながら、上記のような折畳ロックでは、包装時の形状維持のため、ロック片の両側に繋部を設けた場合、ロック片の折り曲げに大きな力を要するという問題がある。
【０００５】
また、ロック片を折り曲げる方向が一方向に限定されるため、ロック片をどちらに折り曲げるのか戸惑う場合もある。
【０００６】
そこで、この発明は、紙箱を折り畳んだ状態で、簡単に軽くロックできる折畳ロックを提供することを課題とする。
【課題を解決するための手段】
【０００７】
上記のような課題を解決するため、この発明は、紙箱の折り畳みに伴い、折重部分同士を重ね合わせ、稜線を跨ぐ切込により形成したロック片を折り曲げて、折畳状態で保持するロックにおいて、前記ロック片は、稜線を対称軸とする基折線及び破断線で囲まれたものとし、稜線を境界に破断線をずらすことにより、稜線の一側に破断線の内縁に臨む係合凸部を、他側に破断線の外縁に臨む受止部をそれぞれ形成し、紙箱の折り畳みに際し、各折重部分のロック片を基折線に沿って同方向へ折り曲げると、一方の折重部分から折り曲げられたロック片の係合凸部が他方の折重部分の受止部に係合してロックされるようにしたのである。
【発明の効果】
【０００８】
この発明に係る折畳ロックでは、紙箱を折り畳んでロックする際、重なり合ったロック片を捻るように折り曲げて片側の破断線を切断するだけで、軽くロックすることができ、また、いずれの方向にロック片を折り曲げても、係合凸部が受止部に係合するので、戸惑うことなく、簡単にロックして紙箱を廃棄することができる。
【発明を実施するための最良の形態】
【０００９】
以下、この発明の実施形態を添付図面に基づいて説明する。
【００１０】
この発明に係る折畳ロックを備えた第１実施形態に係る紙箱は、図１に示すような板紙のブランクから形成される。
【００１１】
このブランクでは、前板１１に一対の側板１２が連設され、一方の側板１２に後板１３が、他方の側板１２に継代片１４がそれぞれ連設されている。側板１２の下端には斜折線を有する底板１５が、前板１１及び後板１３の下端には底板１６がそれぞれ連設され、側板１２の上端には蓋受片１７が、後板１３の上端には蓋板１８が、蓋板１８の先端には差込片１９がそれぞれ連設されている。
【００１２】
前板１１の上端中央部には、半環状の摘み片２０が設けられ、前板１１及び両側板１２には、摘み片２０内の指入部２１の両端から下方へ向かう縦方向の破断線２２と、その下端から前板１１の両側端へ延びる横方向の破断線２３と、その終端から側板１２の後部上端へ至る斜め方向の破断線２４とが入れられている。破断線２２，２３，２４は、鉤形の切目が断続するジッパとされている。
【００１３】
蓋板１８の基端の罫線は、容易に切断できるように直線の短い切目が断続するミシン目とされ、後板１３には、陳列時に切り取った蓋板１８を差し込む弧状スリットの差込穴２５が設けられている。
【００１４】
そして、一方の側板１２と底板１５との稜部及び後板１３と底板１６との稜部には、それぞれロック片１が形成されている。ロック片１は、図４に示すように、稜線２を対称軸とする二等辺三角形状とされ、その斜辺に切目入りのリード罫から成る基折線３が入れられ、底辺に破断線４ａ，４ｂが入れられている。
【００１５】
破断線４ａ，４ｂは、鉤形の切目が断続するジッパとされ、稜線２を境界に段差がつくようにずらされて、稜線２の一側には破断線４ａの内縁に臨む係合凸部５が、他側には破断線４ｂの外縁に臨む受止部６がそれぞれ形成されている。
【００１６】
上記ブランクを組み立てて商品を包装するには、図２に示すように、前板１１、一対の側板１２及び後板１３を角筒状に折り曲げ、継代片１４を後板１３に貼り付けて周壁を形成し、各底板１５の一方の角部を隣接する底板１６に貼り付け、対向する底板１５同士を噛み合わせて底面を閉止し、箱内に商品を収納した後、蓋受片１７を内側へ折り曲げ、蓋板１８を閉じて、差込片１９を前板１１の内面沿いに差し込む。
【００１７】
このように組み立てた紙箱は、店頭で商品を陳列する際、指入部２１に指を入れて破断線２２を下方へ切断し、破断線２３を両側方へ切断した後、摘み片２０を引っ張って破断線２４を後部上方へ切断することにより、破断線２３，２４の上方部分を除去し、前下がりに開口させた状態で、商品を露出させて陳列することができる。
【００１８】
一方、この紙箱を廃棄する際には、図３に示すように、底板１５，１６を押し込むようにして、前板１１、一対の側板１２及び後板１３から成る周壁が平行四辺形となる状態を経て、扁平に折り畳む。
【００１９】
そして、図５に示すように、各折重部分Ａ，Ｂのロック片１を、基折線３に沿って同方向へ折り曲げると、一方の折重部分Ａから折り曲げたロック片１の係合凸部５が弾性変形しつつ、図６に実線で示すように、他方の折重部分Ｂの受止部６の反対側に回り込み、この受止部６に係合して、折重部分Ａ，Ｂが重なり合った状態でロックされ、紙箱が折り畳んだ状態に保持される。
【００２０】
このように、上記折畳ロックでは、重なり合ったロック片１を捻るように折り曲げて片側の破断線４ａ，４ｂを切断するだけで、軽くロックすることができ、紙箱の貼り合わせた部分を剥がす必要もない。
【００２１】
また、図６に鎖線で示すように、ロック片１を反対の方向に折り曲げても、係合凸部５が受止部６に係合して、折重部分Ａ，Ｂが重なり合った状態でロックされるので、戸惑うことなく、簡単にロックして紙箱を廃棄することができる。
【００２２】
次に、上記のような折畳ロックを備えた紙箱の第２実施形態として、図７に示す板紙のブランクから形成される蓋について説明する。
【００２３】
このブランクでは、基板３０の周縁に各一対の端板３１及び側板３２が連設され、側板３２の両側に折曲片３３が連設されている。各側板３２の両側部には、基板３０の角から先端側へかけて内側へ傾斜した折目線３４が入れられ、基板３０及び一対の側板３２の中央部には、その連設方向に延びる折目線３５が入れられている。そして、基板３０と一対の端板３１との稜部には、上記第１実施形態と同様のロック片１が設けられている。
【００２４】
このブランクを組み立てるには、図８に示すように、側板３２から折曲片３３を内側へ折り曲げつつ、基板３０に対し各一対の端板３１及び側板３２を直角に折り曲げ、折曲片３３を端板３１の内面に貼り付ける。
【００２５】
一方、この蓋を廃棄する際には、図９に示すように、側板３２を折目線３４に沿って折り曲げつつ外側へ伸ばすと共に、端板３１を内側へ倒して平板状とし、折目線３５に沿って二つ折りにする。
【００２６】
そして、図１０に示すように、各折重部分Ａ，Ｂのロック片１を、基折線３に沿って同方向へ折り曲げると、一方のロック片１の係合凸部５が他方のロック片１の抜出穴に臨む受止部６に係合し、貼り合わせた部分を剥がしたりすることなく、蓋を折り畳んだ状態に保持することができる。
【００２７】
なお、上記各実施形態では、ロック片１の基折線３が稜線２に対して傾斜し、破断線４ａ，４ｂが稜線２に対して直交する直線状のものを例示したが、破断線４ａ，４ｂを湾曲させたり、基折線３が稜線２に対して直交するようにしてもよい。
【００２８】
また、１組の対応するロック片を備えたものを例示したが、ロック片を複数組設けることにより、強固にロックできるようにしてもよい。
【００２９】
また、折重部分が２重となるものを例示したが、折重部分が３重以上となるように多重に折り畳む紙箱においても、上記のようなロック片を設けると、廃棄に際して、コンパクトに折り畳んだ状態に保持することができる。
【００３０】
さらに、板紙を材料とするものを例示したが、薄手の段ボールを材料とする紙箱においても、同様のロック片を設けることにより、廃棄時に折り畳んだ状態に保持して、嵩張らないようにすることができる。
【図面の簡単な説明】
【００３１】
【図１】この発明の第１実施形態に係る紙箱のブランクを示す図
【図２】同上の組立状態を示す斜視図
【図３】同上の折畳過程を示す斜視図
【図４】同上のブランクにおけるロック片の拡大図
【図５】同上の折畳ロック状態を示す拡大斜視図
【図６】同上の折畳ロック状態を示す断面図
【図７】この発明の第２実施形態に係る紙箱の蓋のブランクを示す図
【図８】同上の組立状態を示す斜視図
【図９】同上の折畳過程を示す斜視図
【図１０】同上の折畳ロック状態を示す斜視図
【符号の説明】
【００３２】
１  ロック片
２  稜線
３  基折線
４ａ，４ｂ  破断線
５  係合凸部
６  受止部
１１  前板
１２  側板
１３  後板
１４  継代片
１５，１６  底板
１７  蓋受片
１８  蓋板
１９  差込片
２０  摘み片
２１  指入部
２２，２３，２４  破断線
２５  差込穴
３０  基板
３１  端板
３２  側板
３３  折曲片
３４，３５  折目線
【図１】
2008201451.tif 000003
【図２】
2008201451.tif 000004
【図３】
2008201451.tif 000005
【図４】
2008201451.tif 000006
【図５】
2008201451.tif 000007
【図６】
2008201451.tif 000008
【図７】
2008201451.tif 000009
【図８】
2008201451.tif 000010
【図９】
2008201451.tif 000011
【図１０】
2008201451.tif 000012